(57)【特許請求の範囲】
【請求項１】
容器体口頸部へ嵌合させる装着筒２内から垂直筒３を起立すると共に、該垂直筒上端から射出筒４を、かつ中間部からシリンダ５を、それぞれ前方突出し、又シリンダ内へ前方付勢させて嵌合させたプランジャ６前端部を、上記射出筒前部から揺動可能に垂設したトリガー７の上部後面へ係合させ、更にノズル嵌合筒８の基板９から連結筒部10を後方突設して、該筒部を上記射出筒４の前端部外面へ水密に嵌着させると共に、基板前面から嵌合筒部11を前方突設し、該嵌合筒部外面へ、ノズルヘッド12の周壁14を嵌合させ、トリガーの操作で、容器体内液体を吸上げてノズルヘッド12のノズル孔15から噴出可能に設けたトリガー式液体噴出器において、上記ノズルヘッド12の周壁14後端と基板９外周部前面との間に環状空隙23を形成して、該空隙内の嵌合筒部11部分外面へ、周方向一部外面から側外方に係止板24を突出したリング25を回動自在に嵌合させ、又上記トリガー７上部前面に、前方張出し板部27を介して上方突出板部28を起立するフック29を付設し、トリガー７前限位置で、上記係止板24を上記フック29の上方突出板部28後面に係合させることで、トリガーを引寄せ不能に設けたことを特徴とするトリガー式液体噴出器。
【発明の詳細な説明】
【発明の属する技術分野】
【０００１】
本発明はトリガー式液体噴出器に関する。
【０００２】
【従来の技術】
トリガー式の液体噴出器は、容器体口頸部外面へ嵌合させる装着筒の上部内から垂直筒を起立すると共に、該垂直筒上端から射出筒を前方突設し、又該射出筒前部に枢着させてトリガーを垂下し、又上記垂直筒から前方突設したシリンダ内へプランジャを前方付勢させて嵌合させ、該プラジャ前端を上記トリガー上部後面へ係合させて、トリガー引寄せでシリンダ内液体を、射出筒前端へノズル嵌合筒を介して嵌合させたノズルヘッドのノズル孔から噴出させ、又トリガー解放によりプランジャが前進してトリガーを復帰させ、このとき容器体内液体がシリンダ内へ吸込みされるよう設けてある。
【０００３】
上記液体噴出器にあっては、悪戯でトリガーを引寄せても液体が噴出するから、射出筒前端に嵌合させたノズル嵌合筒とノズルヘッドとに液体吐出路の前半部と後半部とを設け、ノズル嵌合筒に対してノズルヘッドを回動させると、上記液体吐出路の連通が遮断され、ノズルヘッドを元の位置まで戻さなければ液体を噴出させることが不能に形成されている。
【０００４】
【発明が解決しようとする課題】
上記のように、ノズル嵌合筒に対してノズルヘッドを回動させて液体吐出路を開閉するよう設けた液体噴出器においても、液体吐出路閉塞状態のままで度々トリガーを引寄せすると、該トリガーが撓み又弾性復元することで、プランジャが多少後退し又前進することとなり、するとシリンダ内の異常な高圧化で吐出弁を通って、該吐出弁と上記ノズル嵌合筒等が形成する液体吐出路部分との間の射出筒前方部分内に高圧液体が溜ることがあり、このようになると、上記ノズルヘッドを液体吐出路連通位置まで回したとき、その射出筒前方部分内に溜っていた高圧液体が、トリガー操作を行わないに拘わらずノズル孔から噴出することが生じた。又、トリガーを強く引寄せすると、射出筒内の高圧化でノズルヘッドがノズル嵌合筒から外れるおそれもあった。
【０００５】
本発明は、上記ノズルヘッド回動による液体吐出路開閉機能の有無に拘らず、前限位置でトリガーを引寄せ不能に設けることで、既述欠点を解消するものである。
【０００６】
【課題を解決するための手段】
その手段として、容器体口頸部へ嵌合させる装着筒２内から垂直筒３を起立すると共に、該垂直筒上端から射出筒４を、かつ中間部からシリンダ５を、それぞれ前方突出し、又シリンダ内へ前方付勢させて嵌合させたプランジャ６前端部を、上記射出筒前部から揺動可能に垂設したトリガー７の上部後面へ係合させ、更にノズル嵌合筒８の基板９から連結筒部10を後方突設して、該筒部を上記射出筒４の前端部外面へ水密に嵌着させると共に、基板前面から嵌合筒部11を前方突設し、該嵌合筒部外面へ、ノズルヘッド12の周壁14を嵌合させ、トリガーの操作で、容器体内液体を吸上げてノズルヘッド12のノズル孔15から噴出可能に設けたトリガー式液体噴出器において、上記ノズルヘッド12の周壁14後端と基板９外周部前面との間に環状空隙23を形成して、該空隙内の嵌合筒部11部分外面へ、周方向一部外面から側外方に係止板24を突出したリング25を回動自在に嵌合させ、又上記トリガー７上部前面に、前方張出し板部27を介して上方突出板部28を起立するフック29を付設し、トリガー７前限位置で、上記係止板24を上記フック29の上方突出板部28後面に係合させることで、トリガーを引寄せ不能に設けた。
【０００７】
【発明の実施の形態】
１は一般に使用されているタイプのトリガー式液体噴出器である。該液体噴出器は、周知のように容器体の口頸部外面ヘ螺合する装着筒２の上部内から垂直筒３を起立し、かつ該垂直筒上端から射出筒４を、かつ垂直筒の中間部前面からシリンダ５を、それぞれ前方突出し、又シリンダ５内へコイルバネ等で前方付勢させて嵌合させたプランジャ６前端部を、上記射出筒前部に上端部をピン等を用いて枢着することで揺動自在に斜下前方へ垂設したトリガー７の上部後面へ係合させ、該トリガー引寄せ操作によりシリンダ内液体を射出筒内を通って噴出させ、又トリガー復帰によるシリンダ内負圧化で容器体内液体をシリンダ内へ吸込み可能に設けている。
【０００８】
上記射出筒４の前端部外面には、ノズル嵌合筒８の基板９から後方突設した連結筒部１０が水密に嵌着されていると共に、該連結筒部に対して下側に偏心させて、基板９前面から嵌合筒部１１が前方突設され、該嵌合筒部外面へ、ノズルヘッド１２の前壁１３周縁部後面から後方突設した周壁１４内面が回動可能に嵌合されて、ノズルヘッドをノズル嵌合筒に抜出し不能に嵌合させている。これ等ノズル嵌合筒８とノズルヘッド１２とには、射出筒４とノズルヘッド１２の前壁１３中央に穿設したノズル孔１５とを連通する液体吐出路１６が穿設させてある。該液体吐出路は、図示のようにノズル嵌合筒８の基板９中央部から前方突出する弁棒１７外面と、ノズルヘッド１２の前壁１３中央部から上記弁棒１７外面へ水密に嵌合させて後方突設した嵌合筒１８内面とに形成する。即ち、該嵌合筒の後部内面へ筒方向に穿設した第１吐出路１９と、上記弁棒１７の前部外面へ母線方向に穿設した第２吐出路２０とで形成し、図１が示す連通状態から、ノズル嵌合筒８に対してノズルヘッド１２を回動させると、第１吐出路１９が弁棒１７の別の位置へ移動して第２吐出路２０との連通が遮断され、又ノズルヘッド１２を元の位置まで戻すことで、再び図１のように連通するものである。
【０００９】
尚、上記ノズルヘッド回動による液体吐出路開閉機能がなく、上記ノズルヘッド１２がノズル嵌合筒８に対して嵌着固定され、液体吐出路１６が常に開通したノズル構造としてもよい。又、美観や取扱性を考慮して、図示例では垂直筒３、シリンダ５、射出筒４が、これらと一体成形されたカバー２１により包囲されているが、勿論、このようなカバーはなくてもよい。
尚、以上述べた構成は従来公知のものである。
【００１０】
以下、本発明について説明すると、上記ノズルヘッド１２の周壁１４後端と、嵌合筒部１１基端上部より外方に延在する基板９の外周部２２前面との間に環状空隙２３が形成されており、該空隙内の嵌合筒部１１部分外面へ、図２に示したように、周方向一部外面から側外方に係止板２４を突出した、上記環状空間の巾よりやゝ小さな肉厚のリング２５を回動自在に嵌合させている。リング２５は、係止板２４やリング外面を指で回すことで回動させることもできるが、回動を容易にするため、リング周方向の適宜位置に、適宜形状、個数の突起乃至は把手を付設することが望ましい。図示例では、リング２５の係止板２４とは周方向反対側の一部外面から側外方に把手板２６が突出し、ノズル嵌合筒基板外周部２２が形成している回動空間内で前後に揺動することなく安定して回動自在とされ、かつカバー２１上端から上方に延在して、手動操作を障害なく行えるようにしている。
【００１１】
又上記トリガー７上部前面に、前方張出し板部２７を介して上方突出板部２８を起立するフック２９が付設されている。
【００１２】
図３に示したように、トリガー７前限位置で、把手板２６を基板外周部２２前面が形成している回動空間内で、想像線で示した横倒位置から、実線で示した直立位置まで回転させると同時に、上記係止板２４を、トリガー７上部前面が形成している回動空間内で時計回りに回転させ、上記フック２９の上方突出板部２８後面に係合させることで、トリガーが引寄せ不能になり、逆に把手板を該直立位置から横倒位置まで回転させ、上記係止板２４をフック２９から係脱させることで、トリガーが引寄せ可能となる。
【００１３】
【発明の効果】
本発明は、既述構成を有するものであり、請求項１記載のトリガー式液体噴出器は請求項１記載のとおり、ノズルヘッド１２の周壁１４後端と基板９外周部前面との間に環状空隙２３を形成して、該空隙内の嵌合筒部１１部分外面へ、周方向一部外面から側外方に係止板２４を突出したリング２５を回動自在に嵌合させ、又上記トリガー７上部前面に、前方張出し板部２７を介して上方突出板部２８を起立するフック２９を付設し、トリガー７前限位置で、上記係止板２４を上記フック２９の上方突出板部２８後面に係合させることで、トリガーを引寄せ不能に設けたため、ノズルヘッド回動による液体吐出路開閉機能の有無に拘らず、既述従来例の場合のように、トリガー前限位置で誤ってトリガーを引寄せすることで、トリガー下部が撓み又弾性復元しても、トリガー上部が係止板２４と係合して不動の状態となっているため、プランジャが誤って後退する恐れが全く無く、従って既述した高圧液体の噴出やノズルヘッドの外れといった事故を完全に防止することが出来る。
【図面の簡単な説明】
【図１】本発明液体噴出器の部分側断面図である。
【図２】リング２５の斜視図である。
【図３】図１噴出器の正面図である。
【符号の説明】
４…射出筒                  ６…プランジャ        ７…トリガー
８…ノズル嵌合筒          ９…基板                  １１…嵌合筒部
１２…ノズルヘッド          １４…周壁                    ２３…環状空隙
２４…係止板                ２５…リング              ２６…把手板
２７…前方張出し板部    ２８…上方突出板部      ２９…フック
【図１】
0003597332.tif 000002
【図２】
0003597332.tif 000003
【図３】
0003597332.tif 000004